(57)【要約】エレベータシステムは、エレベータかごと、１つまたは複数の綱車と、かごに動作可能に連結されるとともにエレベータかごを懸吊および／または駆動するように１つまたは複数の綱車と相互に作用する１つまたは複数のベルトと、を備える。１つまたは複数のベルトは、１つまたは複数のコードを構成する複数のワイヤと、１つまたは複数のコードを実質的に保持するジャケットと、を含む。ベルトと相互に作用するエレベータシステムの１つまたは複数の綱車の最小綱車直径（Ｄ）と、１つまたは複数のコードの最大コード径（ｄc）と、のコード比（Ｄ／ｄc）は約５５よりも小さい。最小綱車直径（Ｄ）と、複数のワイヤの最大ワイヤ径（ｄw）と、のワイヤ比（Ｄ／ｄw）は約１６０〜約３１５である。
2014507348.tif 000002
【特許請求の範囲】
【請求項１】
エレベータかごと、
１つまたは複数の綱車と、
前記エレベータかごに動作可能に連結されるとともに、該エレベータかごを懸吊および／または駆動するように前記１つまたは複数の綱車と相互に作用する１つまたは複数のベルトと、を有するエレベータシステムであって、前記１つまたは複数のベルトは、１つまたは複数のコードを構成する複数のワイヤと、前記１つまたは複数のコードを実質的に保持するジャケットと、を備えており、
前記ベルトと相互に作用するエレベータシステムの前記１つまたは複数の綱車の最小綱車直径（Ｄ）と、前記１つまたは複数のコードの最大コード径（ｄc）と、のコード比（Ｄ／ｄc）が約５５よりも小さく、かつ
最小綱車直径（Ｄ）と、前記複数のワイヤの最大ワイヤ径（ｄw）と、のワイヤ比（Ｄ／ｄw）が約１６０〜約３１５であることを特徴とするエレベータシステム。
【請求項２】
コード比が約３８〜約５５であることを特徴とする請求項１記載のエレベータシステム。
【請求項３】
コード比が約４０〜約４８であることを特徴とする請求項２記載のエレベータシステム。
【請求項４】
ワイヤ比が約１８０〜約３００であることを特徴とする請求項１記載のエレベータシステム。
【請求項５】
ワイヤ比が約２００〜約２７０であることを特徴とする請求項４記載のエレベータシステム。
【請求項６】
前記１つまたは複数のコードの少なくとも１つは、約４９本よりも少ないワイヤを有することを特徴とする請求項１記載のエレベータシステム。
【請求項７】
前記１つまたは複数のコードの少なくとも１つは、約１５〜約３８本のワイヤを有することを特徴とする請求項１記載のエレベータシステム。
【請求項８】
前記１つまたは複数のコードの少なくとも１つは、約１８〜約３２本のワイヤを有することを特徴とする請求項１記載のエレベータシステム。
【請求項９】
前記１つまたは複数のコードの少なくとも１つは、約２０〜約２７本のワイヤを有することを特徴とする請求項１記載のエレベータシステム。
【請求項１０】
前記１つまたは複数のコードに含まれる複数のワイヤは、幾何学的に安定した配置に設けられていることを特徴とする請求項１記載のエレベータシステム。
【請求項１１】
前記複数のワイヤは、引抜き鋼で形成されていることを特徴とする請求項１記載のエレベータシステム。
【請求項１２】
前記複数のワイヤの少なくとも１つのワイヤは、約１８００〜約３３００ＭＰａの最大抗張力を有することを特徴とする請求項１記載のエレベータシステム。
【請求項１３】
前記複数のワイヤの少なくとも１つのワイヤは、約２２００〜約３０００ＭＰａの最大抗張力を有することを特徴とする請求項１記載のエレベータシステム。
【請求項１４】
前記複数のワイヤの少なくとも１つのワイヤは、約２２００〜約２７００ＭＰａの最大抗張力を有することを特徴とする請求項１記載のエレベータシステム。
【請求項１５】
前記１つまたは複数のコードの少なくとも１つは、該コードに含まれる他のワイヤよりもかなり小さい複数のキングワイヤで構成されるキングストランドを含むことを特徴とする請求項１記載のエレベータシステム。
【請求項１６】
前記キングストランドおよび前記コードに含まれる他のワイヤの径の許容差は、平均径の約±１２％であることを特徴とする請求項１５記載のエレベータシステム。
【請求項１７】
前記１つまたは複数のコードの少なくとも１つは、１つまたは複数のキングワイヤを含むことを特徴とする請求項１記載のエレベータシステム。
【請求項１８】
前記キングワイヤおよび前記コードに含まれる他のワイヤの径の許容差は、平均径の約±１０％であることを特徴とする請求項１７記載のエレベータシステム。
【請求項１９】
１つまたは複数のコードを構成する複数のワイヤと、
前記１つまたは複数のコードを実質的に保持するジャケットと、を備え、
前記１つまたは複数のコードの最大コード径（ｄc）と、前記複数のワイヤの最大ワイヤ径（ｄw）と、のコード対ワイヤ比（ｄc／ｄw）が約４〜約７．６５であることを特徴とするエレベータかごを懸吊および／または駆動するベルト。
【請求項２０】
コード対ワイヤ比が約４．５〜約６．２５であることを特徴とする請求項１９記載のベルト。
【請求項２１】
コード対ワイヤ比が約４．７５〜約５．５であることを特徴とする請求項２０記載のベルト。
【請求項２２】
前記１つまたは複数のコードの少なくとも１つは、約４９本よりも少ないワイヤを含むことを特徴とする請求項１９記載のベルト。
【請求項２３】
前記１つまたは複数のコードの少なくとも１つは、約１５〜約３８本のワイヤを含むことを特徴とする請求項１９記載のベルト。
【請求項２４】
前記１つまたは複数のコードの少なくとも１つは、約１８〜約３２本のワイヤを含むことを特徴とする請求項１９記載のベルト。
【請求項２５】
前記１つまたは複数のコードの少なくとも１つは、約２０〜約２７本のワイヤを含むことを特徴とする請求項１９記載のベルト。
【請求項２６】
前記複数のワイヤの少なくとも１つのワイヤは、約１８００〜約３３００ＭＰａの最大抗張力を有することを特徴とする請求項１９記載のベルト。
【請求項２７】
前記複数のワイヤの少なくとも１つのワイヤは、約２２００〜約３０００ＭＰａの最大抗張力を有することを特徴とする請求項１９記載のベルト。
【請求項２８】
前記複数のワイヤの少なくとも１つのワイヤは、約２２００〜約２７００ＭＰａの最大抗張力を有することを特徴とする請求項１９記載のベルト。
【請求項２９】
前記１つまたは複数のコードに含まれる複数のワイヤは、幾何学的に安定した配置に設けられていることを特徴とする請求項１９記載のベルト。
【請求項３０】
前記複数のワイヤは、引抜き鋼で形成されていることを特徴とする請求項１９記載のベルト。
【請求項３１】
前記１つまたは複数のコードの少なくとも１つは、前記コードに含まれる他のワイヤよりもかなり小さい複数のキングワイヤで構成されるキングストランドを含むことを特徴とする請求項１９記載のベルト。
【請求項３２】
前記キングストランドおよび前記コードに含まれる他のワイヤの径の許容差は、平均径の約±１２％であることを特徴とする請求項３１記載のベルト。
【請求項３３】
前記１つまたは複数のコードの少なくとも１つが、１つまたは複数のキングワイヤを含むことを特徴とする請求項１９記載のベルト。
【請求項３４】
前記キングワイヤおよび前記コードに含まれる他のワイヤの径の許容差は、平均径の約±１０％であることを特徴とする請求項３３記載のベルト。
【請求項３５】
１つまたは複数のコードを構成する複数のワイヤと、
前記複数のワイヤを実質的に保持するジャケットと、を備え、
前記１つまたは複数のコードは、４９本よりも少ないワイヤをそれぞれ含み、
前記複数のワイヤは、約０．６８ｍｍよりも小さいワイヤ径を有するとともに、約１８００ＭＰａよりも大きい最大抗張力を有することを特徴とするエレベータかごを懸吊および／または駆動するベルト。
【請求項３６】
前記１つまたは複数のコードの最大コード径（ｄc）と、前記複数のワイヤの最大ワイヤ径（ｄw）と、のコード対ワイヤ比（ｄc／ｄw）は、約４〜約７．６５であることを特徴とする請求項３５記載のベルト。
【請求項３７】
コード対ワイヤ比（ｄc／ｄw）が約４．５〜約６．２５であることを特徴とする請求項３６記載のベルト。
【請求項３８】
コード対ワイヤ比（ｄc／ｄw）が約４．７５〜約５．５であることを特徴とする請求項３７記載のベルト。
【請求項３９】
前記複数のワイヤは、約１５〜約３８本のワイヤであることを特徴とする請求項３５記載のベルト。
【請求項４０】
前記複数のワイヤは、約１８〜約３２本のワイヤであることを特徴とする請求項３５記載のベルト。
【請求項４１】
前記複数のワイヤは、約２０〜約２７本のワイヤであることを特徴とする請求項３５記載のベルト。
【請求項４２】
前記複数のワイヤの少なくとも１つは、約１８００〜約３３００ＭＰａの最大抗張力を有することを特徴とする請求項３５記載のベルト。
【請求項４３】
最大抗張力が約２２００〜約３０００ＭＰａであることを特徴とする請求項３５記載のベルト。
【請求項４４】
最大抗張力が約２２００〜約２７００ＭＰａであることを特徴とする請求項３５記載のベルト。
【請求項４５】
前記１つまたは複数のコードに含まれる複数のワイヤは、幾何学的に安定した配置に設けられていることを特徴とする請求項３５記載のベルト。
【請求項４６】
前記複数のワイヤは、引抜き鋼で形成されていることを特徴とする請求項３５記載のベルト。
【請求項４７】
前記１つまたは複数のコードの少なくとも１つは、該コードに含まれる他のワイヤよりもかなり小さい複数のキングワイヤで構成されるキングストランドを含むことを特徴とする請求項３５記載のベルト。
【請求項４８】
前記キングストランドおよび前記コードに含まれる他のワイヤの径の許容差は、平均径の約±１２％であることを特徴とする請求項４７記載のベルト。
【請求項４９】
前記１つまたは複数のコードの少なくとも１つは、１つまたは複数のキングワイヤを含むことを特徴とする請求項３５記載のベルト。
【請求項５０】
前記キングワイヤおよび前記コードに含まれる他のワイヤの径の許容差は、平均径の約±１０％であることを特徴とする請求項４９記載のベルト。
【請求項５１】
エレベータシステムのかごおよび／または釣合いおもりを懸吊および／または駆動する１つまたは複数のベルトを構成する方法であって、
前記１つまたは複数のベルトと相互に作用するエレベータシステムの１つまたは複数の綱車の最小綱車直径（Ｄ）を求め、
最小綱車直径（Ｄ）と、複数のワイヤの最大ワイヤ径（ｄw）と、のワイヤ比（Ｄ／ｄw）が約１６０〜約３１５となるように複数のワイヤを選択し、
最小綱車直径（Ｄ）と、１つまたは複数のコードの最大コード径（ｄc）と、のコード比（Ｄ／ｄc）が約５５よりも小さくなるように前記複数のワイヤで１つまたは複数のコードを構成し、
前記１つまたは複数のコードをジャケットで実質的に保持することを含むことを特徴とする方法。
【請求項５２】
ワイヤで構成するステップは、コード１本当たり約４９本よりも少ないワイヤを使用することを特徴とする請求項５１記載の方法。
【請求項５３】
ワイヤで構成するステップは、コード１本当たり約１５〜約３８本のワイヤを使用することを特徴とする請求項５１記載の方法。
【請求項５４】
ワイヤで構成するステップは、コード１本当たり約１８〜約３２本のワイヤを使用することを特徴とする請求項５１記載の方法。
【請求項５５】
ワイヤで構成するステップは、コード１本当たり約２０〜約２７本のワイヤを使用することを特徴とする請求項５１記載の方法。
【請求項５６】
ワイヤを選択するステップは、約１８０〜約３００のワイヤ比（Ｄ／ｄw）をもたらすことを特徴とする請求項５１記載の方法。
【請求項５７】
ワイヤを選択するステップは、約２００〜約２７０のワイヤ比（Ｄ／ｄw）をもたらすことを特徴とする請求項５１記載の方法。
【請求項５８】
ワイヤで構成するステップは、約３８〜約５５のコード比（Ｄ／ｄc）をもたらすことを特徴とする請求項５１記載の方法。
【請求項５９】
ワイヤで構成するステップは、約４０〜約４８のコード比（Ｄ／ｄc）をもたらすことを特徴とする請求項５１記載の方法。
【請求項６０】
ワイヤで構成するステップは、該ワイヤを幾何学的に安定した配置に設けることを含むことを特徴とする請求項５１記載の方法。
【請求項６１】
ワイヤを選択するステップは、引抜き鋼で形成されたワイヤを使用することを含むことを特徴とする請求項５１記載の方法。
【請求項６２】
ワイヤで構成するステップは、前記コードに含まれる他のワイヤよりもかなり小さい複数のキングワイヤで構成されるキングストランドを使用することを含むことを特徴とする請求項５１記載の方法。
【請求項６３】
ワイヤを選択するステップは、許容差が平均径の約±１２％である前記キングストランドおよび前記コードに含まれる他のワイヤの径を選択することを含むことを特徴とする請求項６２記載の方法。
【請求項６４】
ワイヤで構成するステップは、１つまたは複数のキングワイヤを使用することを含むことを特徴とする請求項５１記載の方法。
【請求項６５】
ワイヤを選択するステップは、許容差が平均径の約±１０％である前記キングワイヤおよび前記コードに含まれる他のワイヤの径を選択することを含むことを特徴とする請求項６４記載の方法。
【発明の詳細な説明】
【技術分野】
【０００１】
本発明は、エレベータシステムに関し、特に、エレベータシステムの懸吊装置および／または駆動装置に関する。
【背景技術】
【０００２】
エレベータシステムは、エレベータかごに動作可能に連結されたロープやベルトなどの吊り上げ手段を使用し、この吊り上げ手段は、１つまたは複数のプーリとも呼ばれる綱車に架け渡されて、昇降路に沿ってエレベータを推進させる。特に吊り上げベルトは、典型的に、少なくとも部分的にジャケット材料の内部に配置された複数のワイヤを含む。これらの複数のワイヤは、多くの場合、１つまたは複数のストランドを構成し、ストランドは１つまたは複数のコードを構成する。ワイヤの構造は、典型的に、破壊強さとコード寿命の少なくとも２つの基本要求に従って設計される。過去のデータによると、コード寿命は、Ｄ／ｄcに関連づけられ、ここで、Ｄはコードが架け渡される最も小さい綱車の直径であり、ｄcはコードの径である。懸吊用途や駆動用途で使用される吊り上げ手段において、Ｄ／ｄcが少なくとも４０であれば十分に柔軟性のあるコードが得られ、安全な動作のために許容されるロープ寿命およびロープ動作が曲げ応力によって提供される。
【発明の概要】
【発明が解決しようとする課題】
【０００３】
エレベータシステムで現在使用されているベルトのコード構造は、典型的にＤ／ｄcが４０より大きく、典型的に４０〜５０である。加えて、コードは、寿命の要求を満たすために多くの小径のワイヤで構成されている。これにより、現在のエレベータベルトの製造コストが高くなっている。
【課題を解決するための手段】
【０００４】
本発明の一形態では、エレベータシステムは、エレベータかごと、１つまたは複数の綱車と、かごに動作可能に連結されるとともにエレベータかごを懸吊および／または駆動するように１つまたは複数の綱車と相互に作用する１つまたは複数のベルトと、を備える。１つまたは複数のベルトは、１つまたは複数のコードを構成する複数のワイヤと、１つまたは複数のコードを実質的に保持するジャケットと、を含む。ベルトと相互に作用するエレベータシステムの１つまたは複数の綱車の最小綱車直径（Ｄ）と、１つまたは複数のコードの最大コード径（ｄc）と、のコード比（Ｄ／ｄc）は、約５５よりも小さい。最小綱車直径（Ｄ）と、複数のワイヤの最大ワイヤ径（ｄw）と、のワイヤ比は、約１６０〜約３１５である。
【０００５】
選択的に、本発明の上述の形態または他の形態では、コード比は約３８〜約５５とすることができ、さらに、選択的に、約４０〜約４８としてもよい。
【０００６】
選択的に、本発明の上述の形態または他の形態では、ワイヤ比は約１８０〜約３００とすることができ、さらに、選択的に、約２００〜約２７０としてもよい。
【０００７】
選択的に、本発明の上述の形態または他の形態では、１つまたは複数のコードの少なくとも１つは、約４９本よりも少ないワイヤ、さらに、選択的に、約１５〜約３８本のワイヤ、またさらに、選択的に、約１８〜約３２本のワイヤ、またさらに、選択的に、約２０〜約２７本のワイヤを有することができる。
【０００８】
選択的に、本発明の上述の形態または他の形態では、１つまたは複数のコードに含まれる複数のワイヤは、幾何学的に安定した配置に設けることができる。
【０００９】
選択的に、本発明の上述の形態または他の形態では、複数のワイヤは引抜き鋼で形成可能である。
【００１０】
選択的に、本発明の上述の形態または他の形態では、複数のワイヤのうちの少なくとも１つのワイヤは、約１８００〜約３３００Ｍｐａ、さらに、選択的に、約２２００〜約３０００Ｍｐａ、またさらに、選択的に、約２２００〜約２７００Ｍｐａの最大抗張力を有する。
【００１１】
選択的に、本発明の上述の形態または他の形態では、１つまたは複数のコードのうちの少なくとも１つのコードは、コードに含まれる他のワイヤよりもかなり小さい複数のキングワイヤで構成されるキングストランドを含むことができ、さらに、選択的に、キングストランドおよびコードに含まれる他のワイヤの径の許容差は、平均径の約±１２％である。
【００１２】
選択的に、本発明の上述の形態または他の形態では、１つまたは複数のコードの少なくとも１つは、１つまたは複数のキングワイヤを含むことができ、さらに、選択的に、キングワイヤおよびコードに含まれる他のワイヤの径の許容差は、平均径の約±１０％である。
【００１３】
本発明の他の形態では、エレベータかごを懸吊および／または駆動するベルトは、１つまたは複数のコードを構成する複数のワイヤと、１つまたは複数のコードを実質的に保持するジャケットと、を含む。１つまたは複数のコードの最大コード径（ｄc）と、複数のワイヤの最大ワイヤ径（ｄw）と、のコード対ワイヤ比（ｄc／ｄw）は、約４〜約７．６５である。
【００１４】
選択的に、本発明の上述の形態または他の形態では、コード対ワイヤ比は、約４．５〜約６．２５、さらに、選択的に、約４．７５〜約５．５とすることができる。
【００１５】
選択的に、本発明の上述の形態または他の形態では、１つまたは複数のコードの少なくとも１つは、約４９本よりも少ないワイヤ、さらに、選択的に、約１５〜約３８本のワイヤ、またさらに、選択的に、約１８〜約３２本のワイヤ、またさらに、選択的に、約２０〜約２７本のワイヤを含むことができる。
【００１６】
選択的に、本発明の上述の形態または他の形態では、複数のワイヤのうちの少なくとも１つのワイヤは、約１８００〜約３３００Ｍｐａ、さらに、選択的に、約２２００〜約３０００Ｍｐａ、またさらに、選択的に、約２２００〜約２７００Ｍｐａの最大抗張力を有しうる。
【００１７】
選択的に、本発明の上述の形態または他の形態では、１つまたは複数のコードに含まれる複数のワイヤは、幾何学的に安定した配置に設けることができる。
【００１８】
選択的に、本発明の上述の形態または他の形態では、複数のワイヤは、引抜き鋼で形成可能である。
【００１９】
選択的に、本発明の上述の形態または他の形態では、１つまたは複数のコードの少なくとも１つは、コードに含まれる他のワイヤよりもかなり小さい複数のキングワイヤで構成されるキングストランドを含むことができ、さらに、選択的に、キングストランドおよびコードに含まれる他のワイヤの径の許容差は、平均径の約±１２％である。
【００２０】
選択的に、本発明の上述の形態または他の形態では、１つまたは複数のコードの少なくとも１つは、１つまたは複数のキングワイヤを含むことができ、さらに、選択的に、キングワイヤおよびコードに含まれる他のワイヤの径の許容差は、平均径の約±１０％である。
【００２１】
本発明のさらに他の形態では、エレベータかごを懸吊および／または駆動するベルトは、１つまたは複数のコードを構成する複数のワイヤと、複数のワイヤを実質的に保持するジャケットと、を含む。１つまたは複数のコードは、４９本よりも少ないワイヤをそれぞれ含む。ワイヤは、約０．６８ｍｍよりも小さいワイヤ径と約１８００Ｍｐａよりも大きい最大抗張力を有する。
【００２２】
選択的に、本発明の上述の形態または他の形態では、１つまたは複数のコードの最大コード径（ｄc）と、複数のワイヤの最大ワイヤ径（ｄw）と、のコード対ワイヤ比（ｄc／ｄw）は、約４〜約７．６５、さらに、選択的に、約４．５〜約６．２５、またさらに、選択的に、約４．７５〜約５．５とすることができる。
【００２３】
選択的に、本発明の上述の形態または他の形態では、１つまたは複数のコードは、約１５〜約３８本のワイヤ、さらに、選択的に、約１８〜約３２本のワイヤ、またさらに、選択的に、約２０〜約２７本のワイヤを有することができる。
【００２４】
選択的に、本発明の上述の形態または他の形態では、複数のワイヤの少なくとも１つは、約１８００〜約３３００ＭＰａ、さらに、選択的に、約２２００〜約３０００ＭＰａ、またさらに、選択的に、約２２００〜約２７００ＭＰａの最大抗張力を有することができる。
【００２５】
選択的に、本発明の上述の形態または他の形態では、１つまたは複数のコードに含まれる複数のワイヤは、幾何学的に安定した配置に設けることができる。
【００２６】
選択的に、本発明の上述の形態または他の形態では、複数のワイヤは、引抜き鋼で形成可能である。
【００２７】
選択的に、本発明の上述の形態または他の形態では、１つまたは複数のコードの少なくとも１つは、コードに含まれる他のワイヤよりもかなり小さい複数のキングワイヤで構成されるキングストランドを含むことができ、さらに、選択的に、キングストランドおよびコードに含まれる他のワイヤの径の許容差は、平均径の約±１２％である。
【００２８】
選択的に、本発明の上述の形態または他の形態では、１つまたは複数のコードの少なくとも１つは、１つまたは複数のキングワイヤを含み、さらに、選択的に、キングワイヤおよびコードに含まれる他のワイヤの径の許容差は、平均径の約±１０％である。
【００２９】
本発明のさらに他の形態では、エレベータシステムのかごおよび／または釣合いおもりを懸吊および／または駆動する１つまたは複数のベルトを構成する方法は、１つまたは複数のベルトと相互に作用するエレベータシステムの１つまたは複数の綱車の最小綱車直径（Ｄ）を求め、最小綱車直径（Ｄ）と複数のワイヤの最大ワイヤ径（ｄw）とのワイヤ比（Ｄ／ｄw）が約１６０〜約３１５となるように複数のワイヤを選択し、最小綱車直径（Ｄ）と１つまたは複数のコードの最大コード径（ｄc）とのコード比（Ｄ／ｄc）が約５５よりも小さくなるように複数のワイヤで１つまたは複数のコードを構成し、１つまたは複数のコードをジャケット内に実質的に保持することを含む。
【００３０】
選択的に、本発明の上述の形態または他の形態では、ワイヤで構成するステップは、コード１本当たり約４９本よりも少ないワイヤ、さらに、選択的に、コード１本当たり約１５〜約３８本のワイヤ、またさらに、選択的に、コード１本当たり約１８〜約３２本のワイヤ、そしてまたさらに、選択的に、コード１本当たり約２０〜約２７本のワイヤを使用することができる。
【００３１】
選択的に、本発明の上述の形態または他の形態では、ワイヤを選択するステップは、約１８０〜約３００、さらに、選択的に、約２００〜約２７０、またさらに、選択的に、約３８〜約５５のワイヤ比（Ｄ／ｄw）をもたらしうる。
【００３２】
選択的に、本発明の上述の形態または他の形態では、ワイヤで構成するステップは、約４０〜約４８のコード比（Ｄ／ｄc）をもたらしうる。
【００３３】
選択的に、本発明の上述の形態または他の形態では、ワイヤで構成するステップは、ワイヤを幾何学的に安定した配置に設けることを含みうる。
【００３４】
選択的に、本発明の上述の形態または他の形態では、ワイヤを選択するステップは、引抜き鋼で形成されたワイヤを使用することを含みうる。
【００３５】
選択的に、本発明の上述の形態または他の形態では、ワイヤで構成するステップは、コードに含まれる他のワイヤよりもかなり小さい複数のキングワイヤで構成されるキングストランドを使用することを含むことができ、さらに、選択的に、ワイヤを選択するステップは、許容差が平均径の±１２％であるキングストランドおよびコードに含まれる他のワイヤの径を選択することを含んでもよい。
【００３６】
選択的に、本発明の上述の形態または他の形態では、ワイヤで構成するステップは、１つまたは複数のキングワイヤを使用することを含み、さらに、選択的に、ワイヤを選択するステップは、許容差が平均径から約±１０％であるキングワイヤおよびコードに含まれる他のワイヤの径を選択することを含んでもよい。
【００３７】
詳細な説明では、図面を参照して、本発明をその利点や特徴とともに例示的に説明する。
【図面の簡単な説明】
【００３８】
【図１Ａ】例示的なエレベータシステムの概略説明図である。
【図１Ｂ】他の例示的なエレベータシステムの概略説明図である。
【図１Ｃ】さらに他の例示的なエレベータシステムの概略説明図である。
【図２】エレベータシステムの例示的なベルトの概略断面図である。
【図３】例示的なコード構造の断面図である。
【図４】他の例示的なコード構造の断面図である。
【図５】また他の例示的なコード構造の断面図である。
【図６】さらに他の例示的なコード構造の断面図である。
【発明を実施するための形態】
【００３９】
図１Ａ，図１Ｂ，図１Ｃは、例示的な牽引式エレベータシステム１０の概略図である。（ガイドレールや安全装置などの）本発明の理解には必要のないエレベータシステム１０の特徴は、ここでは説明していない。エレベータシステム１０は、１つまたは複数のベルト１６で昇降路１４内に動作可能に懸吊すなわち支持されたエレベータかご１２を備える。これらの１つまたは複数のベルト１６は、１つまたは複数の綱車１８と相互に作用してエレベータシステム１０の種々の構成要素の周りに架け渡される。このような１つまたは複数のベルト１６は、釣合いおもり２２にも連結可能であり、釣合いおもり２２は、エレベータシステム１０の釣合いを補助するとともに動作時に駆動綱車の両側でベルト張力を維持するために使用される。
【００４０】
綱車１８は、それぞれ直径２０を有し、この直径はエレベータシステム１０の他の綱車１８の直径と同じでも違っていてもよい。少なくとも１つの綱車１８は、駆動綱車とすることができる。駆動綱車は、機械５０によって駆動される。機械５０による駆動綱車の動作は、駆動綱車周りに架け渡される１つまたは複数のベルト１６を（牽引力によって）駆動、移動および／または推進する。
【００４１】
少なくとも１つの綱車は、そらせ車または遊び車とすることができる。そらせ車または遊び車は、機械５０によって駆動されないが、エレベータシステム１０の種々の構成要素の周りで１つまたは複数のベルト１６を案内するのを補助する。
【００４２】
エレベータシステム１０における最小綱車直径２０は、約４０〜約１８０ｍｍとすることができる。選択的に、エレベータシステム１０における最小綱車直径２０は、約５０〜約１５０ｍｍとすることができる。さらに、選択的に、最小綱車直径２０は、約５０〜約１３５ｍｍとしてもよい。
【００４３】
実施例によっては、エレベータシステム１０は、エレベータかご１２の懸吊および／または駆動に２つ以上のベルト１６を使用することができる。加えて、エレベータシステム１０は、（図１Ａ，図１Ｂ，図１Ｃの例示的なエレベータシステムで示されているように）１つまたは複数のベルト１６の両面が１つまたは複数の綱車１８と接触するか、あるいは１つまたは複数のベルト１６の一面のみが１つまたは複数の綱車１８と接触する種々の構成を有しうる。
【００４４】
図１Ａは、１つまたは複数のベルト１６がかご１２と釣合いおもり２２で終端となる１：１ローピング配置を提供する。図１Ｂ，図１Ｃは、異なるローピング配置を提供する。具体的には、図１Ｂ，図１Ｃは、１つまたは複数のベルト１６と係合する１つまたは複数の綱車１８をかご１２および／または釣合いおもり２２に設けることができることを示しており、１つまたは複数のベルトは、他の場所で、典型的には（機械室なしエレベータシステムなどでは）昇降路１４または（機械室を使用するエレベータシステムでは）機械室内の構造体において終端となりうる。使用される綱車１８の数によって、特定のローピング比（例えば、図１Ｂ，図１Ｃに示す２：１ローピング比または異なる比）が決定される。図１Ｃは、さらに、いわゆるリュックサック型またはカンチレバー型エレベータを提供する。本発明は、図１Ａ，図１Ｂ，図１Ｃに示した例示的な形式以外のエレベータシステムでも使用可能である。
【００４５】
図２は、例示的なベルト構造またはベルト設計の概略図である。各々のベルト１６は、ジャケット２６内に設けられた１つまたは複数のコード２４により構成される。ベルト１６のコード２４は、全て同一であってもよく、またはベルト１６に使用される幾つかあるいは全てのコード２４が他のコードと異なっていてもよい。例えば、１つまたは複数のコード２４は、他のコード２４とは異なる構造または寸法を有しうる。図２に示すように、ベルト１６は、１より大きい縦横比を有する（すなわち、ベルトの幅がベルトの厚さよりも大きい）。
【００４６】
ベルト１６は、１つまたは複数の綱車１８上を通過するときに十分な柔軟性を有するように構成されており、これにより、低い曲げ応力を提供し、ベルト寿命の要求を満たし、かつ滑らかに動作する一方で、エレベータかご１２を懸吊および／または駆動するための強度要求を満たす十分な強度を有する。
【００４７】
ジャケット２６は、単一の材料、複合材料、同じまたは異なる材料を使用する２つ以上の層および／またはフィルムを含むあらゆる適切な材料とすることができる。１つの構成では、ジャケット２６は、例えば、押出し工程または成形ホイール工程を用いてコード２４に設けられたエラストマなどのポリマとすることができる。他の構成では、ジャケット２６は、コードと係合および／または一体化された織物とすることができる。追加の構成として、ジャケット２６は、上述の１つまたは複数の選択肢の組合せとしてもよい。
【００４８】
ジャケット２６は、コード２４を内部に実質的に保持することができる。実質的に保持とは、エレベータシステム１０における使用時に発生しうる荷重がベルト１６に加わったときに、潜在的に追加の安全係数を伴って、コード２４がジャケット２６から引き抜かれたり、ジャケットから分離および／またはジャケットを貫通したりしないようにジャケットがコード２４と十分に係合することを意味する。換言すると、コード２４は、エレベータシステム１０の使用時にジャケット２６に対して元の位置に維持される。ジャケット２６は、（図２に示すように）コード２４を完全に覆うか、コードを実質的に覆うか、またはコード２４を少なくとも部分的に覆う。
【００４９】
各々のコード２４は、幾何学的に安定した配置に設けられた複数のワイヤ２８を含む。選択的に、これらのワイヤ２８の一部または全ては、ストランド３０を構成してもよく、このようなストランドがコード２４を構成する。幾何学的に安定した配置とは、ワイヤ２８（および使用されていればストランド３０）が、コード２４内の理論上の位置に概ね維持されることを意味する。換言すると、ワイヤ２８（および使用されていればストランド３０）の移動は制限されている。例えば、ワイヤ２８の移動は、ワイヤ径の約３０％に制限されうる。ストランド３０の移動は、ストランドの径の約５％よりも小さい値に制限されうる。
【００５０】
各々のコード２４（そして、使用される場合にはコード２４に含まれる各々のストランド３０）は、ワイヤ２８および／またはストランド３０を支持するコアをさらに含む。コアは、張力の方向で荷重を支持するものでも支持しないものでもよい。コアは、金属（例えば、鋼）あるいは非金属（例えば、天然繊維または合成繊維）などのあらゆる適切な材料で形成可能である。
【００５１】
続いて、いくつかの可能なコード構造を説明する。１つの可能なコード２４の構造では、少なくとも一部のワイヤ２８が（各々のストランド３０が、１つまたは複数の他のストランド３０と同一または異なる構成を有するように）最初に１つまたは複数のストランド３０を構成する。続いて、これらの１つまたは複数のストランド３０が、コード２４を構成する（１つまたは複数の追加のワイヤ２８を伴う場合もある）。（以下でより詳細に説明する）図５，図６のコードは、このような種類のコード構造を示している。
【００５２】
コード２４の他の可能な構造では、ワイヤ２８が直接コードを構成する。換言すると、この構造はストランド３０を用いない。（以下でより詳細に説明する）図３，図４のコードは、このような種類のコード構造の複数の例を提供する。
【００５３】
使用される構造にかかわらず、ワイヤ２８およびまたはストランド２６をより合わせて構成することにより、上述のコード２４の幾何学的な安定が得られ、コード２４に他の利点も提供される。種々のより合わせ方法（および種類）がある。例えば、複数のワイヤ２８のリングを有するストランド２６またはコード２４は、各々の複数のリングのワイヤ２８が同じ方向に捩られていてもよく（平行より）、あるいは複数のリングの１つのリングのワイヤ２８が複数のリングの他のリングのワイヤ２８とは反対方向に捩られていてもよい（交差より）。また、複数のストランド２６を有するコード２４は、同じ捩り／よりまたは異なる捩り／よりを有するストランド２６を使用することができる。コード２４の可能なよりに加えて、ベルト１６は異なるよりを有する複数のコード２４を含みうる。例えば、ベルト１６は、Ｚよりのワイヤ２８および／またはストランド２６を有する１つまたは複数のコード２４と、Ｓよりのワイヤ２８および／またはストランドを有する１つまたは複数のコード２４を含みうる。加えて、巻き動作あるいは締め動作は、単一のステップあるいは連続するステップで実行されうる。本発明は、これらのコード構造のいずれかあるいは全てを使用することができる。
【００５４】
コード２４で使用されるワイヤ２８は、コード２４がエレベータシステム１０の必要条件を満たすことを可能にするあらゆる適切な材料で形成可能である。例えば、ワイヤ２８は、引抜き鋼で形成可能である。さらに、ワイヤ２８は、腐食、摩耗および／またはフレッチングなどを減少または防止するため（亜鉛、真鍮、または非金属材料など）および／またはジャケット材料とコード表面との間の保持力および／または相互作用を高めるために（有機接着剤、エポキシまたはポリウレタンなど）の母材と異なる材料でさらにコーティングしてもよい。
【００５５】
コード２４に使用される１つまたは複数のワイヤ２８は、約１８００〜約３３００Ｍｐａ（メガパスカル）の最大抗張力を有しうる。選択的に、最大抗張力は、約２２００〜約３０００ＭＰａでもよい。さらに、選択的に、最大抗張力は、約２２００〜約２７００ＭＰａでもよい。
【００５６】
ベルト１６に含まれる１つまたは複数のコード２４は、４９本よりも少ないワイヤ２８で構成可能である。選択的に、コード２４は、約１５〜約３８本のワイヤ２８を有しうる。さらに、選択的に、コード２４は、約１８〜約３２本のワイヤ２８を有しうる。またさらに、選択的に、コード２４は、約２０〜約２７本のワイヤ２８を有しうる。加えてあるいは選択的に、コード２４に使用されるワイヤ２８は、約０．６８ｍｍよりも小さい径を有しうる。
【００５７】
図３の例示的なコード２４は、荷重を支持するコア（具体的には単一のキングワイヤ５２）を含み、このコアは６本のワイヤ２８に囲まれており、これらのワイヤ２８はさらに１２本のワイヤ２８に囲まれている。これは、１＋６＋１２配列と呼ばれる。コード２４の構造（例えば、異なるより長さおよび／またはワイヤの内側リングと外側リングの反対方向の捩り）によって、ワイヤの外側リングの１２本のワイヤ２８はいずれも６本のワイヤ２８からなる内側リング内の位置に移動しない。
【００５８】
図４の例示的なコード２４は、コアが荷重を支持していない他は、図３の例示的なコード２４と同じ１＋６＋１２配列を有する。コアは、非金属コア要素３６とすることができる。上述の例と同様に、（例えば、異なるより長さおよび／またはワイヤの内側リングと外側リングとで捩りが反対の）コード２４の構造により、ワイヤの外側リングの１２本のワイヤ２８はいずれも６本のワイヤ２８からなる内側リング内の位置に移動しない。
【００５９】
図５の例示的なコード２４は、（図３ではキングワイヤ５２であった）荷重を支持するコアが、コードに使用される残りのワイヤ２８よりも小さい３本のキングワイヤ５２ａを含み、これらのキングワイヤ５２ａがキングストランドを構成する他は、図３の例示的なコード２４と類似している。これは、３＋６＋１２配列と呼ばれる。上述の例と同様に、（例えば、異なるより長さおよび／またはワイヤの内側リングと外側リングとで捩りが反対の）コード２４の構造により、ワイヤの外側リングのワイヤ２８はいずれもワイヤ２８の内側リング内の位置に移動しない。
【００６０】
図６の例示的なコードは、荷重支持コア（具体的には、３本のキングワイヤ５２）を含み、この荷重支持コアは９本のワイヤ２８によって囲まれ、これらのワイヤ２８は、さらに１５本のワイヤ２８によって囲まれている。これは、３＋９＋１５配列と呼ばれる。上述の例と同様に、（例えば、異なるより長さおよび／またはワイヤの内側リングと外側リングとで捩りが反対の）コード２４の構造により、ワイヤの外側リングのワイヤ２８はいずれもワイヤ２８の内側リング内の位置に移動しない。
【００６１】
コード２４を構成する要素は、全て同じ径を有するか、コード２４を構成するいくつかまたは全ての要素がコード２４を構成する他の要素とは異なる径を有しうる。１つの選択肢では、ワイヤ２８と（１つまたは複数の金属コアを使用する場合は）キングワイヤ５２またはキングストランド５２ｂは、（必ずしも同一の径ではないが）同様の径を有する。キングワイヤ５２とキングストランド５２ｂのいずれを考慮に入れるかは、特定のコード構造によって決まる。
【００６２】
金属コアが複数のワイヤを含み、これらのワイヤがコードに含まれる他のワイヤ２８よりもかなり小さい（例えば、径が約５０％以下の）場合は、キングストランド５２ｂの径（すなわち、キングストランド５２ｂを構成する複数のキングワイヤ５２ａの有効径の組合せ）が使用される。この状況では、同様の径とは、各々の（キングストランド５２ｂとコード２４に含まれる残りのワイヤ２８を含む）ワイヤの径の許容差が、これらの要素の平均径の約±１２％であることを意味する。
【００６３】
金属コアを含む他の全ての場合には、キングワイヤ５２の径が使用される。このような状況では、同様の径とは、各々の（キングワイヤ５２とコード２４に含まれる残りのワイヤ２８を含む）ワイヤの径の許容差が、これらの要素の平均径の約±１０％であることを意味する。
【００６４】
コアが非金属製であれば、ワイヤが同様の径を有しているか否かを判断する際には、その径は無視される。
【００６５】
本発明は、例えば、エレベータシステム１０の動作基準を満たすために、ワイヤ２８、コード２４および／または綱車１８の寸法決めに種々の比率を使用する。第１の比率は、コード比と呼ばれる。第１の比率は、Ｄ／ｄcであり、ここでＤはベルト１６が架け渡される最小の綱車１８の綱車直径２０、ｄcはベルト１６に含まれる最大のコード２４のコード径３２である。第１の比率は、約５５よりも小さい値とすることができる。選択的に、第１の比率は、約３８〜約５５とすることができる。さらに、選択的に、第１の比率は、約４０〜約４８としてもよい。
【００６６】
第２の比率は、ワイヤ比と呼ばれる。第２の比率は、Ｄ／ｄwであり、ここでｄwはコード２４に含まれる最大のワイヤ２８の径である。第２の比率は、約１６０〜約３１５とすることができる。選択的に、第２の比率は、約１８０〜約３００とすることができる。さらに、選択的に、第２の比率は、約２００〜約２７０としてもよい。
【００６７】
本発明は、追加でまたは選択的に、第３の比率によって説明可能であり、この第３の比率は、コード対ワイヤ比と呼ばれるもので、第１の比率と第２の比率から導かれる。第３の比率はｄc／ｄwである。第３の比率は、約４．０〜約７．６５とすることができる。選択的に、第３の比率は、約４．５〜約６．２５とすることができる。さらに、選択的に、第３の比率は、約４．７５〜約５．５としてもよい。
【００６８】
明確化のために説明すると、綱車直径は（必ずしも綱車の実際の直径ではなく）綱車の有効径である。綱車の有効径は、エレベータシステム１０の使用時にベルト１６が綱車１８と係合するときにコード２４の位置で測定される。
【００６９】
また、明確化のために説明すると、ワイヤ、ストランドおよび／またはコードの径は、外接円の径を測定することで求められる。換言すると、ワイヤ、ストランドおよび／またはコードの径は、その要素の最大の断面寸法である。
【００７０】
図３の例示的なコード構造で径が０．３５ｍｍの（キングワイヤ５２およびコード２４に含まれる残りのワイヤ２８を含む）ワイヤを使用すると、径が１．７５ｍｍのコード２４が得られる。このコード２４が１つまたは複数の綱車１８を備える（そして、綱車の最小直径が７７ｍｍである）エレベータシステム１０においてベルト１６に使用される場合、比率は、
第１の比率＝Ｄ／ｄc＝７７／１．７５＝４４
第２の比率＝Ｄ／ｄw＝７７／０．３５＝２２０
第３の比率＝ｄc／ｄw＝１．７５／０．３５＝５
となる。
【００７１】
図４の例示的なコード構造で径が０．３５ｍｍのワイヤと径が０．３８ｍｍの荷重を支持しないコア３６を使用すると、径が１．７５ｍｍのコード２４が得られる。コアが非金属製のため、その径は種々の比率では考慮されない。このコード２４が１つまたは複数の綱車１８を備えるエレベータシステム１０で使用された場合（そして、綱車の最小直径が７７ｍｍの場合）比率は、
第１の比率＝Ｄ／ｄc＝７７／１．７５＝４４
第２の比率＝Ｄ／ｄw＝７７／０．３５＝２２０
第３の比率＝ｄc／ｄw＝１．７５／０．３５＝５
となる。
【００７２】
図５の例示的なコード構造で径が０．１７５ｍｍのキングワイヤ５２を使用し、残りのワイヤ２８の径が０．３５ｍｍの場合、径が１．７５ｍｍのコード２４が得られる。上述したように、キングワイヤ５２がコード２４に含まれる残りのワイヤ２８よりもかなり小さいので、（個々のキングワイヤ５２の径ではなく）キングストランドの径が使用される。これにより、キングストランド（０．３８ｍｍ）がコード２４に含まれるワイヤの最大径を有する。このコードが１つまたは複数の綱車１８を備えるエレベータシステム１０のベルト１６で使用される場合（そして、綱車１８の最小直径が７７ｍｍの場合）、比率は、
第１の比率＝Ｄ／ｄc＝７７／１．７５＝４４
第２の比率＝Ｄ／ｄw＝７７／０．３８＝２０３
第３の比率＝ｄc／ｄw＝１．７５／０．３８＝４．６
となる。
【００７３】
図６の例示的なコード構造で径が０．３０５ｍｍの（キングワイヤ５２およびコード２４に含まれる残りのワイヤを含む）ワイヤを使用した場合、径が１．８９ｍｍのコード２４が得られる。このコード２４が１つまたは複数の綱車１８を備えるエレベータシステム１０のベルト１６で使用される場合（そして、綱車１８の最小直径が７７ｍｍの場合）、比率は
第１の比率＝Ｄ／ｄc＝７７／１．８９＝４１
第２の比率＝Ｄ／ｄw＝７７／０．３０５＝２５２
第３の比率＝ｄc／ｄw＝１．８９／０．３０５＝６．２０
となる。
【００７４】
上述の説明におけるワイヤ、ワイヤの特徴部および比率への種々の言及は、コード構造で使用されうる溶接ワイヤには当てはまらない。溶接ワイヤは、一般にコードの引張荷重を支持するとしても少しの引張荷重（例えば、個々の主要ワイヤの平均引張荷重の約１５％よりも少ない引張荷重）しか支持しない小さいワイヤである。
【００７５】
本発明を限られた数の実施例に関連して説明したが、本発明が開示された実施例に限定されるものではないことは容易に理解されよう。むしろ、本発明は、ここで説明していないが、本発明の趣旨および範囲に含まれる、あらゆる変形、変更、代替物および同等物を組み込むように改良することができる。加えて、本発明の種々の実施例を説明したが、本発明の形態は説明した実施例のいくつかのみを含みうる。よって、本発明は上述の説明によって限定されるものではなく、添付の請求の範囲のみによって限定されるものである。
【図１Ａ】
2014507348.tif 000003
【図１Ｂ】
2014507348.tif 000004
【図１Ｃ】
2014507348.tif 000005
【図２】
2014507348.tif 000006
【図３】
2014507348.tif 000007
【図４】
2014507348.tif 000008
【図５】
2014507348.tif 000009
【図６】
2014507348.tif 000010
【国際調査報告】
2014507348.tif 000011
2014507348.tif 000012